(57)【要約】【課題】ペンダント、ブロウチに凸型石あるいは老眼レンズを、より安定的に取付ける事で幅広いデザインを可能にし、スカーフ止めも付けられるようにする。【解決手段】底面枠１、側面枠２の幅の違う二つの枠の面で支え、金属板４、ワンポイントの押さえの飾り３で石５を囲む様に石５を装着する前に作り上げてしまう。【選択図】        図４
2004202177.tif 000002
【特許請求の範囲】
【請求項１】
動物、花、幾何学模様、等をデザインした金属、樹脂、石、アクリル、プラスチック、ガラス、木、宝石等（製造課程に於て変形可能で製造後に一定の形を保ちうる物を含む。以下金属板４で総称する）や金属、樹脂、石、アクリル、プラスチック、ガラス、木、宝石等（製造課程に於て変形可能で製造後に一定の形を保ちうる物を含む。以下底面枠１、側面枠２で総称する。）によって固定された凸型にカットされた円形、多角形あるいは凸型に磨かれた円形、多角形の石、アクリル、プラスチック、樹脂、ガラス、木、宝石あるいは円形、多角形の老眼レンズ（以下石５と総称する）を使ったブロウチ、拡大鏡付きブロウチ及び拡大鏡付きスカーフ止めブロウチとペンダント、拡大鏡付きペンダント及び拡大鏡付きスカーフ止めの製造方法
【請求項２】
石５の縁から内側に約０．３ｍｍが掛かる様に約１．３ｍｍの幅で約０．５ｍｍの厚みの底面枠１で円形、多角形の縁に沿って円形、多角形の半分までを底面として支え、この底面枠１の上に石５の縁に沿うように側面として側面枠２を約１ｍｍの幅で約１ｍｍ〜約１．５ｍｍの厚みで底面枠１と同じ長さで接合し、底面枠１、側面枠２の半分の長さのところに石５を固定する為の爪の代わりとなるワンポイントのデザイン性のあるアクセントとなる飾り３を側面枠２の上面に石５を上から固定する為につけ、さらに側面枠２の両端の上面にやはり石５を固定させる為に石に沿う様にカーブをつけた金属板４をつける。金属板４の下部より石５を装着し側面枠２の両端を石５側につめ、固定する製造方法
【請求項３】
石５の縁から内側に約０．３ｍｍが掛かる様に約１．３ｍｍの幅で約０．５ｍｍの厚みの底面枠１で円形、多角形の縁に沿って円形、多角形の半分までを底面として支え、この底面枠１の上に石５の縁に沿う様に側面として側面枠２を約１ｍｍの幅で約１ｍｍ〜約１．５ｍｍの厚みで底面枠１と同じ長さで接合し上面から石５を固定させる為に石５の縁の周辺にかかる様に、金属板４に石５に沿う様にカーブを加え側面枠２に接合する。石５を底面１、側面２の開いている方より装着し側面２の両端を石５側につめ、石５を固定する製造方法
【請求項４】
側面枠２の両端にスカーフ止めの枠６の軸受けを取付ける。スカーフ止め枠６の両端にバネをつける製造方法
【発明の詳細な説明】
【０００１】
【発明の属する技術分野】
本発明はペンダント及びブロウチに幅広の円形、多角形の凸型石、老眼レンズを装着するにあたりまた、スカーフ止め枠６を取付けるにあたり、よりシンプルで安定的な固定ほうほうに関する。
【０００２】
【従来の技術】
円形、多角形の周囲を枠で囲み四方を爪で止める方法に、針金様の装飾がほどこしてある様な簡単な作りである為、スカーフ止めの枠等は取付けられない。
【０００３】
【発明が解決しようとする課題】
従来の枠と爪だけで固定するタイプは安定性が悪い為、線画的なデザインが多くレンズの付いたアクセサリーとしてはペンダントくらいで重厚さに欠け、幅広いデパートリーのデザインを加工しにくかった。
【０００４】
本発明は幅広凸型の円形、多角形の石５装着後に爪で止める必要がない為、固い素材を使う事が出来、重厚で高級感のある物からシンプルで利便性の良い物まで幅広いデザインが可能で、その取付け方法を提供することを目的としている。
【０００５】
【課題を解決する為の手段】
上記目的を達成する為に、本発明のペンダント及びブロウチにおいては底面枠１、側面枠２に囲まれた枠を、最初に頑強に且つ繊細に作り上げ、一方の開かれた側面２より凸型（円形、多角形）の石５をすべり込ませ、切り取られた側面２の両端で石５を挟むように固定する。スカーフ止めの場合は側面２の両端にさらにスカーフ止め枠６の軸受けを取付け枠６を取付け、枠６の端にバネを取付ける。
【０００６】
上記底面枠１の断面は、横幅約１．３ｍｍ〜約２ｍｍ×縦幅（厚み）約０．５ｍｍ〜約１ｍｍの長方形で、側面枠２の断面は横幅が、底面枠１の横幅より常に約０．３ｍｍ〜約１ｍｍ少なめとし縦幅（厚み）は、約１ｍｍ〜約１．５ｍｍが望ましくこの数字の差で石５を支える。石の大きさやスカーフ止め枠を付ける場合にもよるが、数字はどれも出来るだけ最小限が好ましい。
【０００７】
石は常に左右か上下が対称である事が望ましい。左右上下、対称の中心である対称軸より遠くなる程、面積は小さくなる方が望ましい。
【０００８】
石５はアクリルの円形の老眼鏡が最も好ましいが、他には凸型のレンズ型にカットしたあるいはレンズ様に丸く磨いた円形や左右または上下が対称な多角形の貴石、宝石、真珠、木といった装飾に相応しい素材が好ましい。
【０００９】
底面１側面２は常に左右上下が対称の石５の対称軸までの半分の長さに石５を固定する為に約０．５ｍｍ〜約１ｍｍ分を両端に付加した長さとする。石５装着後にこの延長分で石５を挟む様に固定する。
【００１０】
金属板４は動物、草木花、幾何学模様等ペンダント及びブローチの一番、主となるデザイン部で石５の縁の周辺に石５に沿うようにカーブを入れ側面２の上部に上から被せる様に付ける。
【発明の実施の形態】
発明の実施の形態を実施例にもとづき図面を参照して説明する。
図面１に於て、底面枠１に側面枠２を張り合わせ、爪の代わりとなるワンポイントの飾り３を側面枠２の上面に付け、底面枠１、側面枠２の両端に装飾をほどこした金属板４（英語のＣＡＴの文字を猫の形にデザインしている）をつける。金属板４の下部よりレンズ５（斜線部）を入れ、底面枠１、側面枠２の両端をレンズ側につめ、固定する金属板４の装飾ＣＡＴのＴがしっぽとなっており、そのしっぽの先端に穴が開けてありその穴に環を付けネックレスを通す。ブロウチの場合は側面枠２の両端に止めピンをつける。
【００１１】
図８に示される実施例では石５の形によっては底面枠１、側面枠２も形を変える。
【００１２】
図９図１０に示される実施例では、金属板４とワンポイントの飾り３が一番、多目的に形を変える事が可能である。
【発明の効果】
本発明は、以上説明したように構成されているので、以下に記載されるような効果を奏する。
【００１３】
幅の違う二種類の金属（底面枠１、側面枠２）を貼り合わせる事で、その段差で石５を安定的に支える事が出来、側面枠２の上面を約１ｍｍの面としてとらえることで、その面に対してさらに金属板４の様なあらゆるデザインが可能な面としての装飾物を取付けることが出来、この金属板４や、やはり石５を爪の代わり止めるものとしてデザイン的に加工可能なワンポイントを取付けることは、さらに石５を固定する上で安定性を高める事が出来る。
【図面の簡単な説明】
【図１】ペンダント（ブロウチ）を表面からとらえた図で一番、主となる（変更可能な）デザイン部
【図２】ペンダント（ブロウチ）製造課程の石５を支える為の底面枠１、側面枠２の上面図
【図３】ペンダント（ブロウチ）製造課程の石５を支える為の底面枠１、側面枠２を貼り合わせた図（上面からと角度を変えて立体的にとらえた図）
【図４】ペンダント（ブロウチ）を側面からとらえた図
【図５】ペンダント（ブロウチ）を上面からとらえた図
【図６】ペンダント（ブロウチ）を底面からとらえた図
【図７】ペンダント（ブロウチ）を裏面からとらえた図
【図８】石５を多角形に変えた場合の図
【図９】金属板４のデザインを変えた場合の図
【図１０】ワンポイントの飾り３のデザインを変えた場合
【符号の説明】
１  底面枠１
２  側面枠２
３  石（５）の押さえ兼ワンポイントの装飾物
４  金属板（ペンダント、ブロウチの主となるデザイン部）
５  石（宝石、ガラス、アクリル、プラスチック、真珠、木等）
６  スカーフ止め枠
７  スカーフ止め枠の軸受け
８  スカーフ止め枠のバネ
【図１】
2004202177.tif 000003
【図２】
2004202177.tif 000004
【図３】
2004202177.tif 000005
【図４】
2004202177.tif 000006
【図６】
2004202177.tif 000007
【図７】
2004202177.tif 000008
【図８】
2004202177.tif 000009
【図９】
2004202177.tif 000010
【図１０】
2004202177.tif 000011
【手続補正書】
【提出日】平成15年3月19日(2003.3.19)
【手続補正１】
【補正対象書類名】図面
【補正対象項目名】全図
【補正方法】変更
【補正の内容】
【図１】
2004202177.tif 000012
【図２】
2004202177.tif 000013
【図３】
2004202177.tif 000014
【図４】
2004202177.tif 000015
【図５】
2004202177.tif 000016
【図６】
2004202177.tif 000017
【図７】
2004202177.tif 000018
【図８】
2004202177.tif 000019
【図９】
2004202177.tif 000020
【図１０】
2004202177.tif 000021